(57)【要約】【課題】電子機器およびその制御プログラムを提供する。【解決手段】実施形態の電子機器は、第１の映像成分を復号する第１復号部と、第２の映像成分を復号する第２復号部とを有し、制御ブロックにより主映像表示領域と、副映像表示領域と、補助的表示領域とを確保し、前記主映像表示領域に全復号映像出力を入力する手段と、前記副映像表示領域に部分復号映像出力を入力する。そして補助的表示領域に対して、前記主映像表示領域に表示される映像及び又はそのチャンネルに関連し、該映像に関する文字情報を分離して表示させる第１手段、及び、前記主映像表示領域に表示される映像、並びに、前記副映像表示領域に表示される映像とは直接的に関係しない情報を表示させる第２手段のうち、少なくともいずれか一方の手段を備える。【選択図】図１Ａ
2020078073.tif 000002
【特許請求の範囲】
【請求項１】
第１の番組に対応する第１の映像成分を復号する第１復号部と、
第２の番組に対応する第２の映像成分を復号する第２復号部と、
前記第１復号部、前記第２復号部を制御する制御ブロックを備える電子機器であって、
前記制御ブロックは、
表示部の画面の表示領域として、主映像を表示するための主映像表示領域と、副映像を表示するための副映像表示領域と、補助的表示領域とを確保する第１手段と、
前記主映像表示領域に対して、前記第１復号部の全復号映像出力を入力する第２手段と、
前記副映像表示領域に対して、前記第２復号部の部分復号映像出力を入力する第３手段と
前記補助的表示領域に対して、
前記主映像表示領域に表示される映像及び又はそのチャンネルに関連し、該映像に関する文字情報を分離して表示させる第４手段、及び、前記主映像表示領域に表示される映像、並びに、前記副映像表示領域に表示される映像とは直接的に関係しない情報を表示させる第５段のうち、少なくともいずれか一方の前記第４手段又は第５手段、
を備える電子機器。
【請求項２】
前記第４手段は、前記主映像表示領域には、前記文字情報を表示させない、請求項１記載の電子機器。
【請求項３】
第１の番組に対応する第１の映像成分を復号する第１復号部と、第２の番組に対応する第２の映像成分を復号する第２復号部と、前記第１復号部、前記第２復号部を制御する制御ブロックを有する電子器の制御プログラムであって、
表示部の画面の表示領域として、主映像を表示するための主映像表示領域と、副映像を表示するための副映像表示領域と、補助的表示領域とを確保する第１命令と、
前記主映像表示領域に対して、前記第１復号部の全復号映像出力を入力する第２命令と、
前記副映像表示領域に対して、前記第２復号部の部分復号映像出力を入力する第３命令と、
前記補助的表示領域に対して、
前記主映像表示領域に表示される映像及び又はそのチャンネルに関連し、該映像に関する文字情報を分離して表示させる第４命令、及び、
前記主映像表示領域に表示される映像、並びに、前記副映像表示領域に表示される映像とは直接的に関係しない情報を表示させる第５命令、のうち少なくともいずれか一方の表示を実行させる前記４命令または前記第５命令を備える、
前記電子機器の制御プログラム。
【請求項４】
前記第４命令は、前記主映像表示領域には、前記文字情報を表示させない、請求項３記載の電子機器の制御プログラム。
【発明の詳細な説明】
【技術分野】
【０００１】
この発明は、電子機器および電子機器の制御プログラムに関する。
【背景技術】
【０００２】
電子機器、例えばテレビジョン放送や配信により供給される任意のチャンネルの番組あるいはコンテンツを受信して再生するテレビジョン受信装置（以下、テレビジョン装置と称する）は、視聴者からの選択指示入力（選局指示）に基づいて、１つの受信すべき番組（チャンネル）あるいはコンテンツを受信する。
【０００３】
受信する番組あるいはコンテンツは、複数である場合が多く、例えば番組表形式で表示される番組情報もしくはチャンネル番号表示に対応する視聴者（ユーザ）からの選択指示入力により特定される。
【０００４】
視聴者からの選択指示入力の利便性を高めるために、受信中の番組あるいはコンテンツを、映像表示領域（表示画面）を任意数に分割した副表示領域（副表示画面）に、複数の画面表示を縮小して表示するユーザインタフェース（選択指示入力）画面表示も広く利用されている。
【先行技術文献】
【特許文献】
【０００５】
【特許文献１】特開２００１−３３３３４６号公報
【特許文献２】特開２０１０−１４１３９８号公報
【発明の概要】
【発明が解決しようとする課題】
【０００６】
受信中の複数の番組あるいはコンテンツを表示する場合に、１つのチューナで複数番組（チャンネル）あるいはコンテンツをデコードすることは、チャンネル（チューニング）の切替えのための時間およびデコード時間の増大の観点から、実用的ではない。
【０００７】
反面、チャンネル毎にデコーダを用意することは、消費電力の増大を招く。また、縮小表示であっても動画を表示する場合には、番組を表示するためのプロセッサの負荷が増大する。この場合、処理速度の速いプロセッサが要求される。この結果、テレビジョン装置のコストが上昇する。しかしながら、消費電力の増大や装置コストの上昇は、今日、許容されがたい。
【０００８】
この発明の目的は、表示画面上で、メイン映像と関係する文字情報をメイン映像領域とは異なる小領域に持ち、メイン映像の視聴を妨害しないようにするか又は視聴番組とは関係ないがユーザに有用な情報の表示を得る前記小領域を確保する電子機器および電子機器の制御プログラムを提供することである。
【課題を解決するための手段】
【０００９】
一実施形態の電子機器は、第１の番組に対応する第１の映像成分を復号する第１復号部と、第２の番組に対応する第２の映像成分を復号する第２復号部と、前記第１復号部、前記第２復号部を制御する制御ブロックを備える電子機器であって、
前記制御ブロックは、
表示部の画面の表示領域として、主映像を表示するための主映像表示領域と、副映像を表示するための副映像表示領域と、補助的表示領域とを確保する第１手段と、前記主映像表示領域に対して、前記第１復号部の全復号映像出力を入力する第２手段と、前記副映像表示領域に対して、前記第２復号部の部分復号映像出力を入力する第３手段と、
前記補助的表示領域に対して、
前記主映像表示領域に表示される映像及び又はそのチャンネルに関連し、該映像に関する文字情報を分離して表示させる第４手段、及び、前記主映像表示領域に表示される映像、並びに、前記副映像表示領域に表示される映像とは直接的に関係しない情報を表示させる第５段のうち、少なくともいずれか一方の前記第４手段又は前記第５手段、
を備える電子機器を提供できる。
を備える電子機器を提供する。
【図面の簡単な説明】
【００１０】
【図１Ａ】実施形態に係る電子機器（映像再生装置）の一例を示す。
【図１Ｂ】実施形態に係る電子機器（映像再生装置）の一例を示す。
【図１Ｃ】実施形態に係る電子機器（映像再生装置）の一例を示す。
【図２】実施形態に係る電子機器が表示する画面表示の一例を示す。
【図３Ａ】実施形態に係る電子機器が表示する画面表示の一例を示す。
【図３Ｂ】実施形態に係る電子機器が表示する画面表示の一例を示す。
【図４】実施形態に係る電子機器が表示する画面表示の一例を示す。
【図５】実施形態に係る電子機器が表示する画面表示の一例を示す。
【図６】実施形態に係る電子機器が表示する画面表示の一例を示す。
【図７】実施形態に係る電子機器が表示する画面表示の一例を示す。
【図８】実施形態に係る電子機器が表示する画面表示の一例を示す。
【図９】実施形態に係る電子機器が表示する画面表示の一例を示す。
【図１０Ａ】実施形態に係る電子機器が表示する画面表示（設定画面）の一例を示す。
【図１０Ｂ】実施形態に係る電子機器が表示する画面表示（設定画面）の一例を示す。
【図１１Ａ】実施形態に係る電子機器（映像再生装置）の一例を示す。
【図１１Ｂ】実施形態に係る電子機器が表示する画面の表示例を示す。
【図１１Ｃ】実施形態に係る電子機器が表示する画面の表示例を示す。
【図１１Ｄ】実施形態に係る電子機器が表示する画面の表示例を示す。
【図１１Ｅ】実施形態に係る電子機器が表示する画面の表示例を示す。
【図１１Ｆ】実施形態に係る電子機器が表示する画面の表示例を示す。
【図１２】実施形態に係る電子機器（映像再生装置）の一例を示す。
【発明を実施するための形態】
【００１１】
以下、図面を参照して、実施の一形態について説明する。
【００１２】
図１は、実施形態に係る電子機器（映像再生装置）の一例を示す概略図である。なお、以下に説明する要素や構成は、ハードウェアで実現するものであってもよいし、処理装置すなわちマイクロコンピュータ（ＣＰＵ（Central Processing Unit））によりソフトウェアで実現するものであってもよい。また、以下の記載において、放送は、空間を伝播する電波として放送事業者（放送局）が提供するもの、あるいは光ファイバ等を用いる伝送網やＩＰ（Internet Protocol）網等のネットワークを通じて配信事業者が配信するもの、もしくは情報提供元（デマンドサービス事業者）から視聴者が所望のコンテンツを取得するデマンドサービス等を含む。なお、放送は、映像と音声や音楽もしくはその両者、およびまたは文字データ、等を含み、一定時間（放送時間）を単位とする番組を提供する形態を示す。また、番組は、以下の記載において、ストリームあるいはコンテンツもしくは情報と称する場合もある。なお、番組は、映像のみあるいは映像に付属する音声や音楽からなる。また、映像は、動画と静止画あるいはテキスト（コード化された符号列で示される文字や記号等で表される情報）の少なくとも１つを含む。なお、以下の記載において、映像再生装置は、独立に、あるいは一体に設けられるディスプレイと所定の接続方式で接続することで、受信した映像あるいは既に記録した映像をディスプレイに表示できる。また、映像再生装置は、記録機能を有するテレビジョン受信装置（以下、テレビジョン装置と称する）であってもよい。なお、映像再生装置がテレビジョン装置として用意される場合においても、ディスプレイが別体であってもよく、その場合ディスプレイは、例えばテレビジョン装置と非接触で、映像再生装置からの表示信号を無線方式により取得するものであってもよい。
【００１３】
図１が示す映像再生装置１は、第１受信・復調部１０１、第２受信・復号部１０２、第３受信・復調部１０３、ＨＤＭＩ（登録商標）信号入力部１０４、主制御ブロック１１１、副制御ブロック１２１、を少なくとも含む。
【００１４】
主制御ブロック１１１は、ＧＵＩ（Graphical User Interface）処理部１１２、多重分離部（第１多重分離部）１１３、ＭＰＥＧハードウェア（ＨＷ）デコーダ（第１復号部）１１４、ＭＰＥＧソフトウェア（ＳＷ）デコーダ（第２復号部）１１５、グラフィックプロセッサ１１６、表示信号出力部（画素品質制御部（Picture Quality Controller）と称する場合もある）１１７、ＣＰＵ（Central Processing Unit）すなわち主制御部１１８およびネットワークコントローラ１１９、を少なくとも含む。なお、ＭＰＥＧハードウェア（ＨＷ）デコーダ（第１復号部）１１４およびＭＰＥＧソフトウェア（ＳＷ）デコーダ（第２復号部）１１５は、いずれもＭＰＥＧ（Moving Picture Experts Group）に準拠するコーデックを用いて圧縮した映像をデコード（復号）するものである。また、コーデックとして、例えばＨＥＶＣ（High Efficiency Video Coding）／ＭＰＥＧ−Ｈ  Ｐａｒｔ２を用いて圧縮した映像をデコードする場合は、ＨＥＶＣデコーダを用意すればよい。
【００１５】
副制御ブロック１２１は、マルチストリーム多重分離部（第２多重分離部）１２２、ＴＳ解析部（パケット内データ解析部と称する場合もある）１２３、を少なくとも含む。なお、ＴＳは、トランスポートストリームの略称であり、任意のＣＨ（チャンネル）すなわち放送局が送信する放送信号を示す。
【００１６】
主制御ブロック１１１と副制御ブロック１２１とは、１つの要素として統合して用意することも可能である（図１Ｃに示すように、主制御ブロック１１１と副制御ブロック１２１は、一体に構成されるものであってもよい）。
【００１７】
第１受信・復調部（地上波受信部と称する場合もある）１０１は、例えば地上波のテレビジョン放送のうちの任意のＣＨ（チャンネル）の周波数に同調して、そのチャンネルの放送を復調する。第１受信・復号部１０１は、例えばネットワークを経由して外部映像供給元が供給する放送信号を受信する、例えばＳＴＢ（Set Top Box）、等であってもよい。なお、ＣＨ（チャンネル）は、放送局と読み替える場合もある。
【００１８】
第２の受信・復調部（衛星波受信部と称する場合もある）１０２は、例えばＢＳ（Broadcasting Satellite）衛星もしくはＣＳ（Communication Satellite）衛星を用いるテレビジョン放送のうちの任意のＣＨの（放送）周波数に同調して、そのチャンネルの放送を復調する。
【００１９】
第３の受信・復調部（マルチストリーム受信部と称する場合もある）１０３は、地上波のテレビジョン放送のうちの複数チャンネル、例えば６ＣＨ（チャンネル）のそれぞれの（放送）周波数にそれぞれ同調して、個々のチャンネルの放送を復調する。なお、第３受信・復調部１０３は、１以上のＣＨにおいて、例えば配信事業者が配信する番組を受信することも可能である。
【００２０】
ＨＤＭＩ信号入力部１０４は、例えば番組やコンテンツを記憶可能なレコーダ装置、例えばＢｌｕ−ｒａｙ（登録商標）ディスクレコーダ装置や映像（音声を含む）を記憶可能なビデオカメラ装置と接続し、レコーダ装置（もしくはビデオカメラ装置）からのＨＤＭＩ（High-definition Digital Media Interface）規格に準拠する入力信号を受けつける。レコーダ装置やビデオカメラ装置は、画像撮影が可能な携帯可能な端末装置、例えばタブレットＰＣ（Personal Computer）装置やスマートフォン、等であってもよい。
【００２１】
主制御ブロック１１１は、制御入力（操作指示）に基づいて所定の制御コマンドを出力し、以下に説明する要素や構成の動作あるいは制御する。制御入力（操作指示）は、例えばリモートコントローラ（リモコン端末あるいはリモコンと称する場合もある）や映像再生装置（電子機器）の本体の操作部が供給する。主制御ブロック１１１はまた、例えばタブレットＰＣ（Personal Computer）やスマートフォン、等の携帯可能な端末装置からの制御入力（操作指示）に対応する所定の制御コマンドを出力する。制御コマンドは、例えば以下に説明する副映像の表示数の選択指示、フォーカスがあてられた（リモコン端末によりカーソルが移動された副映像表示領域が表示している）副映像と現在表示している主映像との間の表示の関連付け、番組の録画（記憶）、録画（記憶）した番組の再生あるいは削除もしくは編集、等を指示するコマンドを、少なくとも含む。
【００２２】
主制御ブロック１１１は、上述の制御コマンドに基づいて、第１受信・復調部１０１、第２受信・復調部１０２、第２多重分離部１２２を経由する第３受信・復調部１０３、ＨＤＭＩ信号入力部１０４、もしくはネットワークコントローラ１１９を経由して取得する放送の受信や映像信号の入力を制御する。
【００２３】
ＧＵＩ（Graphical User Interface）処理部１１２は、ディスプレイ（表示装置）１０５が表示する画面（画像）表示において、リモコン端末装置からの制御入力（操作指示）ユーザインタフェース画面を表示可能に、ユーザインタフェース画面信号を出力する。
【００２４】
第１多重分離部１１３は、第１受信・復調部１０１および第２受信・復調部１０２が受信して復調し、抽出した任意のチャンネルの放送信号（ＴＳ）もしくはネットワークコントローラ１１９を経由して取得する番組やコンテンツを、映像（video）成分、音声／音響（audio）成分および制御情報に分離する。
【００２５】
制御情報は、例えばＴＳを分配するための分配規則、ＴＳの内容、スケジュール（ＴＳの再生順）、等を示すＳＩ（Service Information、番組配列情報）を含む。ＳＩは、例えばＥＰＧ（Electrical Program Guide、電子番組表）、視聴中のチャンネルに関連のある情報（過去・現在・未来の番組タイトルや番組内容、等の番組情報）の表示に利用可能な、さまざまな情報も含む。
【００２６】
第１復号部（ＭＰＥＧハードウェア（ＨＷ）デコーダ）１１４は、多重分離部１１３が分離した映像成分をデコード（復号）し、表示信号出力部１１７に供給する。
【００２７】
第２復号部（ＭＰＥＧソフトウェア（ＳＷ）デコーダ）１１５は、副制御ブロック１２１側の第２多重分離部１２２が抽出して分離したそれぞれのＴＳから、ＴＳ解析部１２３が識別した特定の映像成分すなわちＩ−フレーム画像をデコード（復号）し、グラフィックプロセッサ１１６に供給する。
【００２８】
より詳細には、第２復号部１１５は、第２多重分離部１２２が分離して復調した所定チャンネル数の放送信号（映像信号）のそれぞれからＩ−フレーム画像を復号し、同一チャンネルのＩ−フレーム画像が（副映像として）同じ位置に提示されるよう、グラフィックプロセッサ１１６に指示する。Ｉ−フレーム画像は、復号時に他の画像（フレーム）を参照する必要の無い１枚（コマ／フレーム）の圧縮された画像であり、復号時にＣＰＵ１１８が必要とする処理能力（リソース）を、例えば２４コマ（フレーム）〜６０コマ（フレーム）の動画全体を復号する処理に比較して、低く抑えることができる。すなわち、第２復号部１１５は、第２多重分離部１２２が分離して復調した映像信号（ＴＳ）のうちのＩ−フレーム画像のみを復号することで、ＣＰＵ１１８が時分割処理で処理できる程度の負荷を実現できる。なお、現行の地上波デジタル放送（横方向の画素数が１９２０画素×縦方向の画素数が１０８０画素、フレーム周波数が３０Ｈｚ）においては、Ｉ−フレーム画像は、秒間２コマ（フレーム）程度である。このため、横方向の画素数が１９２０画素×縦方向の画素数が１０８０画素、フレーム周波数が３０Ｈｚの放送においては、副映像として表示する各ＣＨの映像は、概ね０．５秒毎に更新される。
【００２９】
グラフィックプロセッサ１１６は、第２復号部１１５が復号した特定の映像成分およびＧＵＩ処理部１１２からのユーザインタフェース画面信号を表示信号出力部１１７に供給する。グラフィックプロセッサ１１６はまた、第２復号部１１５が復号した特定の映像成分（Ｉ−フレーム画像）の表示サイズを設定するとともに表示信号出力部１１７と接続するディスプレイ１０５の画面表示内の表示領域（表示位置）を設定する。グラフィックプロセッサ１１６はさらに、図２、他により後段に説明する（画面表示内の）個々の副映像の表示位置１２〜１７および補助的表示を表示する表示領域１８の表示位置を設定する。
【００３０】
なお、ＧＵＩ処理部１１２および第２復号部１１５は、ＣＰＵ１１８のファームウェアとしてＣＰＵ１１８と一体化されてもよいし、図１Ｂに示すように、ＣＰＵ１１８と独立に用意されてもよい。また、第２復号部１１５がハードウェア（ＨＷ）デコーダであってもよいし、第１復号部１１４がソフトウェア（ＳＷ）デコーダであってもよい。なお、いずれか一方のデコーダをソフトウェアデコーダとすることなく、両者をハードウェアデコーダとしてもよい。
【００３１】
表示信号出力部１１７は、第１復号部１１４がデコードした映像成分（主映像表示信号）とグラフィックプロセッサ１１６からの特定の映像成分（副映像表示信号）とを重ね合わせる。表示信号出力部１１７はまた、第１受信・復調部１０１、第２受信・復号部１０２、第３受信・復調部１０３が受信する放送（番組）もしくはＨＤＭＩ信号入力部１０４に入力のある映像信号に、画質調整、解像度変換、等を行い、ディスプレイ１０５が画面（画像）表示を表示可能な表示信号として出力する。なお、表示信号は、映像と表示する場合もある。
【００３２】
ネットワークコントローラ１１９は、外部ネットワークＮＴＷを介して、例えばＳＮＳ（Social Networking Service）サーバや、コンテンツ配信元あるいは情報提供元と接続し、視聴者に呈示すべきさまざまな情報や、映像（コンテンツ）を取得する。ネットワークコントローラ１１９を経由して取得するコンテンツ配信元あるいは情報提供元からの映像（video）成分、音声／音響（audio）成分や情報は、第１復号部１１４が、直接デコードできる形式の映像（video）成分、あるいは音声／音響（audio）成分である場合もある。
【００３３】
副制御ブロック１２１は、上述した地上波マルチチャンネル受信部（第３の受信・復調部）１０３による放送の受信や以下に説明する要素や構成の動作を制御する。副制御ブロック１２１はまた、主制御ブロック１１１からの動作指示に対応して両ブロック間の映像信号の受け渡し（ＴＳ解析部１２３から第２復号部１１５へのＩ−フレームの出力）を制御する。なお、副制御ブロック１２１は、主制御ブロック１１１側のＣＰＵ１１８との間で、制御コマンドの出力を分担するサブ（副）ＣＰＵを含んでもよい。
【００３４】
第２多重分離部１２２は、上述したように、第３受信・復号部１０３が受信して復調した上述の所定チャンネル数の番組を、少なくとも映像成分、音響／音声成分、制御情報成分に分離する。
【００３５】
ＴＳ解析部（パケット内データ解析部）１２３は、第２多重分離部１２２が分離して復調した所定チャンネル数の放送信号（映像信号）のそれぞれから、Ｉ−フレーム画像（代表フレームあるいは特定の映像成分と称する場合もある）に関する情報を第２復号部１１５に供給する。より詳細には、ＴＳ解析部１２３は、第２多重分離部１２２が分離して復調した放送信号（映像信号）からＩ−フレーム画像を抽出して（抜き出して）第２復号部１１５に送信する。すなわち、通常、秒間２４〜６０コマの動画像を復号する処理をＩ−フレーム画像のみに限定し、秒間２コマ程度に間引くことで、ＣＰＵ１１８の時分割処理で処理できる程度の負荷を実現できる。
【００３６】
なお、図１Ｂが示すように、例えば副制御ブロック１２０がＧＵＩ処理部１１２、第２復号部１１５、第２多重分離部１２２、ＴＳ解析部１２３を一体的に構成することも可能である。この場合、ＴＳ解析部１２３は、Ｉ−フレームであることを示す情報、例えばフレーム番号を第２復号部１１５に送出し、第２復号部１１５が映像成分のうちのＩ−フレームだけを抽出してデコードする、というような処理も可能である。また、図１Ｃが示すように、ＧＵＩ処理部１１２、第２復号部１１５、グラフィックプロセッサ１１６、ネットワークコントローラ１１９、第２多重分離部１２２、ＴＳ解析部１２３を、主制御ブロック１１１に一体的に組み込んだ場合においても、第２復号部１１５においてＩ−フレーム画像のみを復号することで、ＣＰＵ１１８の負荷を増大することなく、複数の副映像を表示できる。
【００３７】
ディスプレイ１０５は、表示信号出力部１１７の出力端と接続し、グラフィックプロセッサ１１６が設定した画面表示内の表示領域（表示位置）に、表示信号出力部１１７が出力する表示信号に対応する再生映像（画像表示）を表示する。ディスプレイ１０５は、より詳細には、主映像表示信号に対応する映像（主映像）と、ＵＩ画面信号に対応するＧＵＩ表示と、任意数のマルチチャンネル表示のための副映像表示信号に対応する映像（副映像）と、を同一画面表示内に表示する。主映像は、第１の映像と称する場合もある。副映像は、第２の映像と称する場合もある。
【００３８】
ディスプレイ１０５が同一画面表示内に表示する副映像表示領域（副映像）の個数、および個数により決まる表示サイズは任意であり、視聴者からの指示入力に対応するグラフィックプロセッサ１１６による処理に基づいて、例えば３〜７程度（図１１Ａ〜図１１（図ｆ）参照）に設定される。
【００３９】
副映像は、図２〜図９により例示するが、第２多重分離部がデコードした上述の所定チャンネル（ＣＨ）数の番組のそれぞれを、設定された個数、かつ、所定フレーム数／秒（１秒あたりに所定数のフレーム）で表示する映像表示である。個々の副映像は、上述したＩ−フレーム画像を第２復号部で復号して表示信号出力部により表示信号とする場合、秒間２コマ（フレーム）程度であり、それぞれの副映像として表示する各ＣＨの映像は、概ね０．５秒毎に１コマ（フレーム）の動画となる。なお、第２多重分離部においては、例えばフォーカスが当てられた（リモコン端末によりカーソルが移動された副映像表示領域が表示している）副映像について、Ｉ−フレーム画像のみの再生から全てのフレームの画像もしくはＩ−フレーム画像とＩ−フレーム画像を参照するＰ−フレーム画像とを復号するよう、切り替えるものであってもよい。これにより、フォーカスが当たった（視聴者が）視聴対象の候補と考える可能性のある番組（ＣＨ）について、スムーズに再生される映像を表示でき、視聴者の視聴しようとする意欲を高めることができる。また、視聴者に、不必要に煩雑さを感じさせないために、副映像を数秒に１コマ（フレーム）程度の頻度で表示を切り替える静止画とし、フォーカスが当てられた副映像表示領域が表示している番組（ＣＨ）についてのみ、Ｉ−フレーム画像を表示（再生）してもよい。
【００４０】
ディスプレイ１０５はまた、グラフィックプロセッサ１１６が設定する表示領域１８に、以下に説明する第１、第２、・・・、第Ｎ−１（Ｎは正の整数、実施形態においては第４）、第Ｎ（Ｎは正の整数、実施形態においては第５）のいずれかの１の補助的表示を、副映像表示領域と独立に表示する。表示領域１８は、例えば副映像表示領域において表示していないＣＨ（の番組）の情報（他ＣＨ番組説明）や、例えば時刻や曜日、等の受信中の放送とは直接の関連性が高いとは限らないが視聴者にとって有益な情報、あるいは他の視聴者が現在視聴している番組の視聴状況（視聴率、等）に関する表示を表示する補助的表示を表示する。第１〜第Ｎのいずれの補助的表示を表示するかは、視聴者による設定に基づいて任意に変更（設定）可能である。
【００４１】
第１の補助的表示は、例えば主映像に付属する（主映像の画面表示内に一体的に表示される）テキスト（文字情報）や、ＣＨ表示およびや放送局のロゴマークであることが好ましい。すなわち、第１の補助的表示は、上述の副影像を複数表示する『受信ＣＨ一覧表示』モードを適用しない全画面の表示を１つのＣＨの番組の映像のみで表示する通常表示時に、そのＣＨの映像表示が含む文字情報（テロップやＣＨロゴマーク）を、主映像表示領域の外に移動して表示するものであることが好ましい。これにより、『受信ＣＨ一覧表示』モードを適用することにより全画面で１つのＣＨの番組の映像を表示する場合に比較して表示サイズが小さくなる主映像の一部が文字情報により部分的に隠れることを抑止できる（図４参照）。なお、『受信ＣＨ一覧表示』モードは、例えば『まるごとＣＨ表示』モード、等と称する場合もある。
【００４２】
第２の補助的表示は、例えばテキスト（文字情報）とＣＨ表示や放送局のロゴマークとを主体とし、主映像および副映像のいずれによっても表示していない他のＣＨの放送の情報を、所定時間毎に表示するものであることが好ましい（図５参照）。
【００４３】
第３の補助的表示は、例えば時刻や曜日、等の受信中の放送とは直接の関連性が高いとは限らないが、視聴者にとって有益な情報を表示するものであることが好ましい。第３の補助的表示は、映像再生装置１が設置されている地域の天気予報、等を含む表示であってもよい。
【００４４】
第４（Ｎ−１）の補助的表示は、主映像および副映像のいずれによっても表示していない他のＣＨの放送に関する情報であって、例えばＳＮＳサーバから取得可能な他の視聴者が現在視聴している番組の視聴状況（視聴率、等）に関する表示であることが好ましい（図６参照）。
【００４５】
第５（Ｎ）の補助的表示は、例えば主映像で現在表示しているＣＨ（放送局あるいは配信元）において次の時間帯（放送時間枠）において放送する番組の情報（広告）であることが好ましい。第５の補助的表示は、例えば任意の放送局あるいは配信元が放送する放送する番組の宣伝（広告）、等の表示であってもよい。
【００４６】
なお、図１Ａ、図１Ｂあるいは図１Ｃが示す電子機器（映像再生装置）１は、映像の表示に関連する要素を主体として説明したが、音響／音声出力部（オーディオ処理部）とオーディオ処理部に接続する音響再生装置（スピーカ）とにより、スピーカから音声およびまたは音響出力が得られることは言うまでもない。
【００４７】
図２は、表示信号出力部（画素品質制御部）が出力する表示信号に対応してディスプレイが表示する画面表示（『受信ＣＨ一覧表示』モード起動時）の一例を示す。
【００４８】
図２が示す画面表示１０は、主映像表示領域（主画面または主画面表示と称する場合もある）１１、第１〜第６の副映像表示領域（副画面または副画面表示と称する場合もある）１２〜１７、補助的表示領域１８、を含む。画面表示１０はまた、少なくとも２つの副映像表示領域の所定の領域に位置するメッセージ（操作案内）表示領域１０Ａ、を含む。
【００４９】
メッセージ表示領域１０Ａは、画面表示１０内が表示する副映像表示領域内の下方の所定の位置であって、例えば左右方向の概ね中央よりも右側、かつ上下方向の下部に位置する少なくとも２つの副映像表示領域に跨り、副映像表示領域内の下方の所定の位置に位置することが好ましい。メッセージ表示領域１０Ａはまた、画面表示１０が表示する副映像表示領域内の下方の所定の位置であって、例えば画面表示１０の左右方向の概ね中央に位置する２つの副映像表示内に位置するものであってもよい。メッセージ表示領域１０Ａはさらに、画面表示１０の下方に位置する全ての副映像表示領域内の下方の所定の位置を連続的に占有する位置に位置するものであってもよい。メッセージ表示領域１０Ａが表示するメッセージ（操作案内）がメッセージ表示領域１０Ａの大きさを超える（表示領域内に全てのメッセージを表示できない）場合、表示対象である文字列をスクロールして全てのメッセージを表示することが好ましい。
【００５０】
主映像表示領域１１は、例えば視聴者が選択した任意のＣＨの番組の映像、あるいは映像再生装置１の電源オン時において、映像再生装置１の電源がオフされた時点で受信していたＣＨ（の番組）をレジュームした番組の映像を表示する。なお、図２においては、主映像表示領域１１が表示する番組を『番組１２３』とする。
【００５１】
第１〜第６の副映像表示領域１２〜１７は、それぞれ、『番組Ａ』、『番組Ｂ』、『番組Ｃ』、『番組Ｄ』、『番組Ｅ』、『番組Ｆ』、を表示する。
【００５２】
図２においては個々の副映像表示領域１２〜１７のそれぞれが、『番組Ａ』、『番組Ｂ』、『番組Ｃ』、『番組Ｄ』、『番組Ｅ』、『番組Ｆ』、を表示するが、図３Ａあるいは図３Ｂが示すように、任意の副映像表示領域が番組（ＣＨ）を表示しない（黒画面表示とする）ことも可能である。例えば、図３Ａは、第１〜第３の副映像表示領域１２〜１４に、『番組Ａ』、『番組Ｂ』、『番組Ｃ』を表示し、第６の副映像表示領域１７に、『番組Ｆ』を表示する例を示す。すなわち、図３Ａが示す例では、第４の副映像表示領域１５と第５の副映像表示領域１６は、黒画面表示（映像非表示）となる。図３Ｂは、第１〜第３の副映像表示領域１２〜１４のそれぞれに、『番組Ａ』、『番組Ｂ』、『番組Ｃ』を表示し、第４の副映像表示領域１５に、『番組Ｆ』を表示する例を示す。すなわち、図３Ｂが示す例では、第５の副映像表示領域１６と第６の副映像表示領域１７は、黒画面表示（映像非表示）となる。このように、それぞれのそれぞれと副映像表示領域が表示する番組（ＣＨ）は、非固定であり、同じ番組（ＣＨ）を同じ副映像表示領域に表示するように限定するものではない。
【００５３】
それぞれの副映像表示領域１２〜１７が表示する副映像の番組（ＣＨ）の配列（表示順）は、例えばＣＨの番号の小さい順（もしくは大きい順）、例えば視聴者が視聴した回数の多い順、例えばＳＮＳサービス等において注目度の高い順、等、任意である。また、映像を表示しない（黒画面表示の）副映像表示領域は、副映像表示領域に表示する全ての番組（ＣＨ）の選択（設定）が終了した時点で、第１の副映像表示領域１２から近い順に、あるいは第６の副映像表示領域１７から近い順に、集約（ソート）されるものであってもよい。
【００５４】
副映像表示領域において番組（ＣＨ）を表示しない映像非表示領域は、例えば視聴者による設定に基づいて任意に変更可能である。副映像を表示しない副映像表示領域は、例えば図１０Ｂにより後段に説明する設定画面により、選択したＣＨの表示位置を特定（表示ＣＨを表示位置に固定）することにより任意に設定できる。なお、主映像表示領域と副映像表示領域のそれぞれにおいて表示する番組（ＣＨ）の数が主映像表示領域と副映像表示領域の数と一致しているような場合、任意の副映像表示領域が表示する番組（ＣＨ）を視聴者が視聴（表示）対象として選択することで、１つ以上の副映像表示領域が表示する番組（ＣＨ）が変化する場合もある（図９参照）。
【００５５】
但し、それぞれの副映像表示領域１２〜１７が表示する副映像の番組（ＣＨ）は、主映像表示領域１１が表示する番組（ＣＨ）とは異なる番組（ＣＨ）を表示するものとする。なお、主映像として主映像表示領域１１に表示する番組を放送するＣＨを除いて受信可能なＣＨの数が副映像表示領域の数よりも少ない場合、表示すべき番組（ＣＨ）が割り当てられていない副映像表示領域に、他の副映像表示領域が表示するＣＨの番組と同じＣＨの番組を表示してもよい。
【００５６】
表示すべき番組が割り当てられていない副映像表示領域は、サブＣＨにおいても番組を放送しているＣＨのサブＣＨの番組を表示するものであってもよい。その場合、サブＣＨとメインＣＨとが同じ番組を放送する時間帯においては、主映像表示領域１１が表示する番組（の映像）と副映像表示領域の１つ以上が表示する番組（の映像）とが重複する。
【００５７】
それぞれの副映像表示領域１２〜１７が表示する副映像は、例えばレコーダ装置あるいはプレーヤ装置が再生する記憶済みの番組（コンテンツ）や、ネットワークを通じて取得可能な番組（コンテンツ）であってもよい。
【００５８】
第１〜第６の副映像表示領域１２〜１７は、それぞれ、番組情報表示領域１２Ａ、１３Ａ、１４Ａ、１５Ａ、１６Ａ、１７Ａ、ＣＨ番号表示領域１２Ｂ、１３Ｂ、１４Ｂ、１５Ｂ、１６Ｂ、１７ＢおよびＣＨ（放送局／配信元／供給元）ロゴマーク表示領域１２Ｃ、１３Ｃ、１４Ｃ、１５Ｃ、１６Ｃ、１７Ｃ、を含む。
【００５９】
それぞれの番組情報表示領域１２Ａ〜１７Ａは、例えば個々の表示領域の下部に位置することが好ましい。それぞれの番組情報表示領域１２Ａ〜１７Ａは、受信中の（個々の表示領域が副映像として表示している）番組（ＣＨ）の、例えば番組名（タイトル）を表示する。それぞれの番組情報表示領域１２Ａ〜１７Ａは、副映像として表示している番組の番組説明、例えばジャンル、ストーリー概略（あらすじ）、出演者名、初回放送と再放送との識別、等）を表示するものであってもよい。番組説明が個々の表示領域１２Ａ〜１７Ａの大きさを超える（表示領域内に全ての説明（情報）を表示できない）場合は、表示対象である文字列をスクロールして全てのメッセージを表示することが好ましい。また、例えばフォーカスが当てられた副映像については、表示領域の大きさを、例えば３行程度のメッセージが表示可能に一時的に拡大し、視聴者が容易に番組説明を視認可能とすることが好ましい。これにより、フォーカスが当たった（視聴者が）視聴対象の候補と考える可能性のある番組（ＣＨ）について、視聴者の視聴しようとする意欲を高めることができる。なお、フォーカスが当てられた副映像の番組説明を、一時的に、主映像の画面表示内に、ポップアップにより表示してもよい。
【００６０】
また、副映像が含む表示領域においては、フォーカスが当てられた副映像（ＣＨ）について、そのＣＨ（番組）に関わる関連情報、例えば過去に放送した時点の情報や次回の放送に関する情報を表示してもよい。この場合においても、表示領域の大きさを一時的に拡大してもよいし、主映像の画面表示内に、所定期間（時間）だけ、ポップアップ表示してもよい。なお、過去に放送した時点の情報は、例えば図９が示す過去番組表の表示に用いる番組情報を参照することができる。また、次回の放送に関する情報は、録画予約のためのＥＰＧが含む番組情報を参照することができる。
【００６１】
それぞれのＣＨ番号表示領域１２Ｂ〜１７Ｂは、受信している（個々の表示領域が副映像として表示している）の番組のＣＨ番号を、例えば３桁の数字で表示する。
【００６２】
それぞれのＣＨ（放送局／配信元／供給元）ロゴマーク表示領域１２Ｃ〜１７Ｃは、受信している（個々の表示領域が副映像として表示している）の番組の放送局や配信元あるいは供給元を（容易に）認識可能なロゴマークやＣＨアイコンを表示する。
【００６３】
ＣＨ番号表示領域１２Ｂ〜１７Ｂとロゴマーク表示領域１２Ｃ〜１７Ｃとは、個々の副映像表示領域１２〜１７内の任意の位置に位置する。ＣＨ番号表示領域１２Ｂ〜１７Ｂとロゴマーク表示領域１２Ｃ〜１７Ｃとは、多くの場合、一体的に（近接して）表示するが、別々の（独立した）位置に表示するものであってもよい。
【００６４】
補助的表示領域１８は、上述の第１、第２、第３、第４（Ｎ−１）、第５（Ｎ）のいずれかの補助的表示を表示する。
【００６５】
図４は、表示信号出力部が出力する表示信号に対応してディスプレイが表示する画面表示の一例であり、『受信ＣＨ一覧表示』モードの起動前の１つのＣＨの番組の映像のみで表示する通常表示時の表示例を示す。なお、以下の説明においては、図２が示す表示と同じか、類似した表示について、同じ符号を付して詳細な説明を省略する場合がある。
【００６６】
リモコン装置からの『受信ＣＨ一覧表示』モードの操作指示（制御入力）を受けつけると、画面表示２０において全画面表示状態２１として示す通常表示（再生）中の『番組１２３』を、画面表示３０の主映像表領域１１に、縮小して表示する。このとき、第１〜第６の副映像表示領域１２〜１７のそれぞれは、主映像表示領域１１が表示する番組（ＣＨ）を除く、最大６つの番組（ＣＨ）を表示する。また、補助的表示領域１８は、全画面表示状態２１と一体的に表示する番組説明（番組情報）表示２１Ａの内容を、補助的表示領域１８が既定する表示サイズおよび行数（段組）で表示する（第１の補助的表示表示例）。
【００６７】
画面表示３０においては、主映像表示領域が表示する番組に一体的に表示する番組説明を補助的表示領域１８が表示することで、全画面表示状態に比較して大きさ（表示面積）が低減する視聴中のＣＨの番組の映像が番組説明により隠れることを抑止できる。これにより、視聴者に、番組の映像の細部まで視認してもらうことができる。
【００６８】
図５は、表示信号出力部が出力する表示信号に対応してディスプレイが表示する画面表示の一例であり、『受信ＣＨ一覧表示』モードの起動前の１つのＣＨの番組の映像のみで表示する通常表示時の表示例を示す。なお、以下の説明において、図２−図４が示す表示と同じか、類似した表示については、同じ符号を付して詳細な説明を省略する場合がある。
【００６９】
リモコン装置からの『受信ＣＨ一覧表示』モードの操作指示（制御入力）を受けつけると、画面表示２０において全画面表示状態２１として示す通常表示（再生）中の『番組１２３』を、画面表示４０の主映像表領域１１に、縮小して表示する。また、第１〜第６の副映像表示領域１２〜１７のそれぞれは、図４により説明したと同様に、主映像表示領域２１が表示する番組（ＣＨ）を除く、最大６つの番組（ＣＨ）を表示する。
【００７０】
一方、補助的表示領域１８は、主映像表示領域１１および副映像表示領域１２〜１７のいずれにおいても表示していない他の番組（ＣＨ）の情報を、例えばＣＨ番号表示やＣＨ（放送局）もしくは配信元のロゴマークとともに、表示することもできる（第２の補助的表示）。補助的表示領域１８はまた、例えば現在の日時や曜日、等の主映像表示領域１１が表示する番組（ＣＨ）との間の直接的な関連性が高いとは限らないが視聴者にとって有益な情報を表示するものであってもよい（第３の補助的表示）。
【００７１】
画面表示４０においては、主映像表示領域が表示する番組とは異なる他の番組（ＣＨ）の情報や現在の日時や曜日、等の主映像表示領域１１が表示する番組（ＣＨ）との間の直接的な関連性が高いとは限らないが視聴者にとって有益な情報（上述の第２または第３の補助的表示）を補助的表示領域１８が表示することで、視聴者の利便性を高めることができる。
【００７２】
なお、補助的表示領域１８が上述の第２または第３の補助的表示を表示している間に、主映像表示領域１１が表示する『番組１２３』の映像信号に、番組説明（番組情報）表示２１Ａを表示する要求があった場合（映像信号に対してＯＳＤ処理すべき文字情報が付加された場合）は、が示す補助的表示を中断して（取り止めて）、番組説明（番組情報）表示の内容を、補助的表示領域１８が表示することが好ましい。
【００７３】
図６は、表示信号出力部が出力する表示信号に対応してディスプレイが表示する画面表示の一例であり、『受信ＣＨ一覧表示』モードの起動前の１つのＣＨの番組の映像のみで表示する通常表示時の表示例を示す。なお、以下の説明において、図２〜図５が示す表示と同じか、類似した表示については、同じ符号を付して詳細な説明を省略する場合がある。
【００７４】
リモコン装置からの『受信ＣＨ一覧表示』モードの操作指示（制御入力）を受けつけると、画面表示２０において全画面表示２１として示す通常表示（再生）中の『番組１２３』を、画面表示４０の主映像表領域１１に、縮小して表示する。また、第１〜第６の副映像表示領域１２〜１７のそれぞれは、図４により説明したと同様に、主映像表示領域２１が表示する番組（ＣＨ）を除く、最大６つの番組（ＣＨ）を表示する。
【００７５】
一方、補助的表示領域１８は、例えばＳＮＳサーバから取得可能な他の視聴者が現在視聴している番組の視聴状況（視聴率、等）に関する表示を表示する（第Ｎ−１の補助的表示表示例）。補助的表示領域１８はまた、例えば、現在、主映像表示領域１１で表示しているＣＨにおいて次の時間帯（放送時間枠）に放送する番組の情報（広告）を表示してもよい（第Ｎの補助的表示表示例）。
【００７６】
画面表示５０においては、補助的表示領域１８が、他のＣＨの番組の視聴状況（視聴率、等）を表示することにより、他のＣＨの番組も含めて何らかの番組を視聴しよう、とする意欲を高めることができる。
【００７７】
なお、補助的表示領域１８が上述の第４（Ｎ−１）または第５（Ｎ）の補助的表示を表示している間に、主映像表示領域１１が表示する『番組１２３』の映像信号に、図４が示す番組説明（番組情報）表示２１Ａを表示する要求があった場合（映像信号に対してＯＳＤ処理すべき文字情報が付加された場合）は、図６が示す補助的表示を中断して（取り止めて）、番組説明（番組情報）表示の内容を、補助的表示領域１８が表示することが好ましい。
【００７８】
図７は、表示信号出力部が出力する表示信号に対応してディスプレイが表示する（『受信ＣＨ一覧表示』モード起動中であり、副映像表示領域が表示する任意の番組にフォーカスをあてて、決定ボタンをオンした場合の画面表示の遷移を示す。なお、以下の説明において、図２〜図６が示す表示と同じか、類似した表示について、同じ符号を付して詳細な説明を省略する場合がある。
【００７９】
画面表示４０において、例えば第２の副映像表示領域１３が表示する『番組Ｂ』にフォーカスをあて（リモコン端末により副映像表示領域１３にカーソルを移動し）、決定ボタンをオンすると、画面表示６０に遷移する。
【００８０】
すなわち、画面表示６０では、それまで第２の副映像表示領域１３が表示している『番組Ｂ』（の映像）を、主映像表示領域１１が表示する。また、画面表示６０では、それまで主映像表示領域１１が表示している『番組１２３』（の映像）を、補助的表示領域１８が表示する。なお、第２の副映像表示領域１３で表示していた『番組Ｂ』（の映像）の表示に代えて、例えば黒画面表示（映像非表示）とし、例えば『主画面表示中』というようなメッセージ６３ａを表示することが好ましい。また、第２の副映像表示領域１３が表示するメッセージ６３ａに加えて、あるいはメッセージ６３ａに代えて、例えば主画面（主映像表示領域）１１の方向を指す矢印表示６３ｂを、表示してもよい。
【００８１】
画面表示６０においては、第２の副映像表示領域１３で表示していた『番組Ｂ』（の映像）を主映像表示領域１１に表示した場合に、第２の副映像表示領域１３の表示を黒画面表示（映像非表示）とすることは、副映像表示領域が表示する映像の再生位置（再生時間）が主映像表示領域１１の再生位置（再生時間）よりも先行することを抑止できる。例えば、副映像表示領域１３が表示する番組（ＣＨ）がタイムシフト録画機能により記憶した映像（番組）であるような場合に主映像表示領域１１においてその番組の先頭から再生すると、例えばスポーツ中継等において副映像表示領域が表示する映像が、結果（再生時間中の後半）を表示してしまうことを抑止できる。
【００８２】
なお、図７が示す例は、補助的表示領域１８が表示する補助的表示に代えて主映像表示領域１１が表示している番組（ＣＨ）を表示する例である。しかしながら、その場合、次の副映像（２つ目またはそれ以降の副映像）を選択すると、もともと主映像表示領域が表示している番組（ＣＨ）は、第１〜第６の副映像表示領域１２−１７のいずれかに移動されることになる。このことは、視聴者が最初に視聴していた（最初に主画面が表示していた）番組を、もう一度表示しようとする場合に、副映像表示領域が表示する番組の注視（確認）を必要とする。このため、任意の副映像表示領域が表示する番組（ＣＨ）が選択された場合であっても、補助的表示領域１８が表示する補助的表示をそのまま表示し、選択された番組（ＣＨ）を表示していた副映像表示領域に、主映像表示領域１１がそれまで表示していた番組（ＣＨ）を表示してもよい。
【００８３】
図８は、表示信号出力部が出力する表示信号に対応してディスプレイが表示する画面表示の一例を示す（『受信ＣＨ一覧表示』モード起動中であり、副映像表示領域が表示する任意の番組にフォーカスをあてて、決定ボタンをオンした場合の画面表示の遷移を示す。なお、以下の説明において、図２〜図７が示す表示と同じか、類似した表示について、同じ符号を付して詳細な説明を省略する場合がある。
【００８４】
画面表示４０において、例えば第３の副映像表示領域１４が表示する『番組Ｃ』にフォーカスをあて（リモコン端末により副映像表示領域１４にカーソルを移動し）、決定ボタンをオンすると、画面表示７０に遷移する。
【００８５】
画面表示７０では、それまで第３の副映像表示領域１４が表示している『番組Ｃ』の映像に、『番組Ｃ』の音声に対応する文字列表示７４を、ＯＳＤ表示する。
【００８６】
文字列表示７４は、例えばＣＰＵ１１８のファームウェアとして用意できる音声処理部（音声字幕化部）を用いて第２多重分離部１２２が分離した対象のＣＨ（の番組）の音声信号を字幕化し、グラフィックプロセッサ１１６において、第２復号部１１５からの映像信号と重ねることで、容易に表示できる。なお、文字列表示７４は、第１〜第６の副映像表示領域１２〜１７が表示する全ての番組（ＣＨ）において表示することも可能である。また、文字列表示７４は、例えば『生字幕』が映像信号に付加されている番組（ＣＨ）においては、付加されている『生字幕』を、そのまま表示するものであってもよい。
【００８７】
画面表示７０において、副映像表示領域１４で表示している『番組Ｃ』の映像に『番組Ｃ』の音声に対応する文字列表示７４をＯＳＤ表示することは、主映像表示領域１１の表示面積に比較して表示面積が小さく、音声再生も無い他のチャンネル（番組）の進行状況を、視聴者が把握できるチャンスを増やすことになり、視聴者の視聴意欲を向上することができる。
【００８８】
図９は、表示信号出力部が出力する表示信号に対応してディスプレイが表示する画面表示の一例を示す（『受信ＣＨ一覧表示』モード起動中に副表示領域が表示する番組の表示例）。なお、以下の説明において、図２〜図８が示す表示と同じか、類似した表示について、同じ符号を付して詳細な説明を省略する場合がある。
【００８９】
画面表示８０は、タイムシフト録画機能により記憶した番組を一覧表示する過去番組表から任意のＣＨ（の番組）、例えば第７列のＣＨの『番組』Ｇ０１を選択した場合の表示例である。画面表示８０では、主画面（主映像表示領域）に、再生を指示（選択）した『番組Ｃ』Ｇ０１の映像を表示する。また、再生を指示した『番組Ｃ』Ｇ０１と同一の時間帯にタイムシフト録画機能により記憶した他の（６ＣＨ分の）番組の映像を、第１〜第６の副映像表示領域１２〜１７に、表示する。
【００９０】
これにより、タイムシフト録画機能により記憶した番組を再生（視聴）しようとする視聴者は、同一の時間帯に記憶した（最大で）６ＣＨ分の番組の内容を、ザッピングのように、確認できる。なお、タイムシフト録画機能により記憶した６ＣＨ分の番組のＩ−フレームは、図１２に一例を示すが、副制御ブロック３２１において、記憶部３３０が保持する番組のそれぞれを読み出し部３３１により読み出し、ＴＳ解析部１２３を経由してＭＰＥＧ（ＳＷ）デコーダ１１５に供給することで、容易に抽出できる。
【００９１】
画面表示８０においては、タイムシフト録画機能により記憶した他のＣＨの番組を第１〜第６の副映像表示領域１２−１７に表示することで、主映像表示領域１１が表示する番組の時間帯に放送された他のＣＨの番組の内容を視聴者が把握できるチャンスを増やすことになり、視聴者の視聴意欲を向上することができる。
【００９２】
なお、第１〜第６の副映像表示領域１２−１７が表示する番組（ＣＨ）は、例えば視聴者の視聴履歴に基づく『お好みのジャンル』の番組（ＣＨ）を主体としてもよいし、ＳＮＳ、等の外部サービスからの情報に基づく『お勧め』の番組（ＣＨ）を主体としてもよい。
【００９３】
図１０Ａは、表示信号出力部が出力する表示信号に対応してディスプレイが表示する画面表示（設定画面）の一例を示す。
【００９４】
図１０Ａが示す画面表示９０は、『受信ＣＨ一覧表示』モードを適用するＣＨ（放送局）を視聴者が設定するための設定入力を受けつける。
【００９５】
例えば、リモコン端末の「設定」ボタンのオン、あるいは画面表示内からのメニュー表示の選択により、画面表示９０を表示する。画面表示９０は、『受信ＣＨ一覧表示』モード設定画面表示領域９１を表示する。設定画面表示領域９１は、行方向に、所定数、例えば８ＣＨ（チャンネル）分のＣＨ（放送局）名を表示する。ＣＨ名の表示（行表示）は、上下方向にスクロールできる。
【００９６】
ＣＨ名の表示（行表示）は、それぞれ、チェックボックス列９２、タイムシフト録画識別表示列９３、プリセットＣＨ番号（記号）表示列９４、ＣＨアイコン／ロゴマーク表示列９５、ＣＨ番号（３桁番号）／放送局名（愛称）表示列９６および『受信ＣＨ一覧表示』モードモニタ画面表示領域９７、を含む。
【００９７】
チェックボックス列９２は、『受信ＣＨ一覧表示』モード起動時に、副画面（副映像表示領域）１２−１７に、番組（ＣＨ）を表示するＣＨとして設定するためのチェックボックスを、ＣＨ行表示毎に含む。個々のチェックボックスは、チェックボックスへのチェックあり／チェックなし、がシーケンシャルに変化することが好ましい。チェックボックスへのチェックがある（チェックボックスがオンの）行表示のＣＨは、『受信ＣＨ一覧表示』モード起動時に、番組（ＣＨ）の内容を副映像表示領域（副画面）が表示する。チェックなし（チェックボックスがオフ）の行表示のＣＨは、『受信ＣＨ一覧表示』モード起動時であっても、番組（ＣＨ）の内容を副画面（副映像表示領域）に表示しない。なお、タイムシフト録画を適用するＣＨについては、自動的に『受信ＣＨ一覧表示』モードを適用するよう（チェックボックスにチェックが入っている状態）に設定される。また、個々のチェックボックスに、『受信ＣＨ一覧表示』モードを必ず適用するＣＨを固定する（チェックボックスへのチェックあり（オン）をロックする）ロックモード（チャンネルロック）が用意されてもよい。ロックモードは、チェックボックス列９２と独立に、例えば『受信ＣＨ一覧表示』モードロックボタン、として行表示の任意の位置もしくはその近傍に用意されてもよい。なお、副映像表示領域の少なくとも１つ（１つ以上）に、例えばニュース番組や天気予報等の特定の内容を放送するＣＨ（放送局）を受信中にはできるだけそのＣＨを表示することを実現する、例えば『ジャンル固定』モードと称するモードが用意されてもよい。
【００９８】
タイムシフト録画識別表示列９３は、タイムシフト録画を適用するＣＨとして設定されていることを表示する。
【００９９】
プリセットＣＨ番号（記号）表示列９４は、例えばリモコン端末のＣＨ番号（記号）ボタンの任意の１つと予め３桁のＣＨ番号が示すＣＨとが関連付けられている場合に、３桁のＣＨ番号の操作入力（制御指示）を必要としないワンタッチのＣＨ選択が可能なＣＨ番号を表示する。
【０１００】
アイコン／ロゴマーク表示列９５およびＣＨ番号（３桁番号）／放送局名（愛称）表示列９６は、それぞれ、ＣＨ名称あるいは放送局名を特定するための識別に利用されるアイコンあるいロゴマーク、３桁のＣＨ番号およびＣＨ名称（放送局名あるいは愛称）を表示する。
【０１０１】
『受信ＣＨ一覧表示』モードモニタ画面表示領域９７は、『受信ＣＨ一覧表示』モード起動時の画面表示例を、縮小表示する。これにより、視聴者は、『受信ＣＨ一覧表示』モード起動時に副映像表示領域が表示する１つ以上のＣＨを、容易に認識できる。
【０１０２】
なお、『受信ＣＨ一覧表示』モードモニタ画面表示領域９７の近傍あるいは設定画面表示領域９１の所定位置に、例えば副映像表示領域の個数（画面数）を設定するための数値入力部、が設けられてもよい。数値入力部の形態（入力方式）は任意であり、例えば数値を直接入力する方式、加算ボタン（アップキー）と減算ボタン（ダウンキー）とを組み合わせた入力ウインドウ形式であってもよい。
【０１０３】
図１０Ｂは、表示信号出力部が出力する表示信号に対応してディスプレイが表示する画面表示（設定画面）の一例を示す。なお、以下の説明において、図１０Ａが示す表示と同じか、類似した表示については、同じ符号を付して詳細な説明を省略する場合がある。
【０１０４】
図１０Ｂが示す画面表示９０は、『受信ＣＨ一覧表示』モード設定画面表示領域１９１を表示する。設定画面表示領域１９１は、行方向に、所定数、例えば８ＣＨ（チャンネル）分のＣＨ（放送局）名を表示する。
【０１０５】
ＣＨ名の表示（行表示）は、上下方向にスクロールできる。ＣＨ名の表示（行表示）は、それぞれ、チェックボックス列９２、タイムシフト録画識別表示列９３、プリセットＣＨ番号（記号）表示列９４、ＣＨアイコン／ロゴマーク表示列９５、ＣＨ番号（３桁番号）／放送局名（愛称）表示列９６、『受信ＣＨ一覧表示』モードモニタ画面表示領域９７および副映像表示領域設定部１９８を含む。
【０１０６】
副映像表示領域設定部１９８は、『受信ＣＨ一覧表示』モード起動時に、副画面に番組（ＣＨ）内容を表示するＣＨとして設定したＣＨを、第１〜第６の副映像表示領域１２〜１７のうちのどの表示領域に表示するか、を設定できる。例えば、最下行に表示するＣＨ名の表示（行表示）について、「６」を設定することで、図３Ａが示すように、番組Ｆを、第６の副映像表示領域１７に表示することができる。
【０１０７】
図１１Ａ−図１１Ｆは、表示信号出力部が出力する表示信号に対応してディスプレイが表示する画面表示（設定画面）の一例を示す。なお、副映像表示領域が表示する副映像の番組（ＣＨ）が主映像表示領域が表示する番組（ＣＨ）とは異なる番組（ＣＨ）を表示する場合であって、番組が割り当てられていない副映像表示領域の表示を黒画面表示（映像非表示）とすることも可能であることは既に説明した通りである。しかしながら、図１１Ａ−図１１Ｆに示すいくつかの表示形態を適用することで、例えば視聴者の好みとして、全ての副映像表示領域に、重複無く異なる番組（ＣＨ）を表示する要求に応えることも可能となる。なお、以下に示す図１１Ａ−図１１Ｆのそれぞれにおいては、主映像表示領域１１と補助的表示領域１８とを、副映像表示領域の個数（副画面の表示数）に拘わりなく、必ず表示する例を示す。
【０１０８】
図１１Ａは、主映像表示領域１１と１つの副映像表示領域１２とを表示する表示例を示す。副映像表示領域１２が１つであるため、視聴者は、一度に（最大）７つの画面の表示を確認する要求から開放される。反面、主映像表示領域に表示する番組を放送するＣＨを除いて受信可能なＣＨの数が多い場合は、副映像表示領域で表示しない残りのＣＨで視聴者が好む番組が放送された場合に、（その番組を）見逃す可能性を高める恐れがある。このため、例えば５秒程度の周期で、受信可能な個々のＣＨの番組を順に表示することが好ましい。この場合、第３の受信・復調部（マルチチャンネル受信部）１０３が、単一のチャンネルを受信する受信・復調部であるような比較的廉価なモデル（映像再生装置）においても『受信ＣＨ一覧表示』モード機能を提供できる。
【０１０９】
図１１Ｂは、主映像表示領域１１と第１および第２の副映像表示領域１２−１３とを表示する表示例を示す。副映像表示領域１２が２つであるため、視聴者は、一度に（最大）７つの画面の表示を確認する要求から開放される。反面、主映像表示領域に表示する番組を放送するＣＨを除いて受信可能なＣＨの数が多い場合は、副映像表示領域で表示しない残りのＣＨで視聴者が好む番組が放送された場合に、（その番組を）見逃す可能性を高める恐れがある。このため、例えば第１の副映像表示領域１２または第２の副映像表示領域１３のいずれか一方の表示領域に、例えばニュース番組等を表示し、他の一方の表示領域１３に、受信可能な個々のＣＨの番組を、例えば５秒程度の周期で順に表示することが好ましい。なお、第１の副映像表示領域１２または第２の副映像表示領域１３のいずれか一方の（受信可能な個々のＣＨの番組を、例えば５秒程度の周期で順に表示する表示領域とは異なる）表示領域においては、例えば主制御ブロック１１１の第１復号部１１４がデコードする（標準画質の）番組を表示するものであってもよい。
【０１１０】
図１１Ｃは、主映像表示領域１１と第１および第２の副映像表示領域１２−１３とを表示する表示例を示す。なお、図１１Ｃは、図１１Ｂに示したと同様、副映像表示領域１２が２つであるが、主映像表示領域１１と２つの副映像表示領域１２、１３のそれぞれの表示面積が概ね等しいため、例えば３つの番組の内容を同時にチェックしよう、とする視聴者にとって有益である。また、図１１Ｂにより説明したと同様に、例えば第１の副映像表示領域１２または第２の副映像表示領域１３のいずれか一方の表示領域に、例えばニュース番組等を表示し、他の一方の表示領域１３に、受信可能な個々のＣＨの番組を、例えば５秒程度の周期で順に表示するものであってもよい。
【０１１１】
図１１Ｄは、主映像表示領域１１と第１〜第３の副映像表示領域１２−１４とを表示する表示例を示す。なお、図１１Ｄが示す表示例では、主映像表示領域１１の大きさ（表示面積）と第１の副映像表示領域１２の大きさ（表示面積）とを実質的に同一とし、第２および第３の副映像表示領域１３−１４の大きさ（表示面積）を、主表示領域の大きさ（表示面積）よりも小さくしている。これにより、例えば第１の副映像表示領域１２に、例えばニュース番組、等の比較的視聴頻度が高いと予想される番組（ＣＨ）を表示し、第２および第３の副映像表示領域１３−１４に、受信可能な個々のＣＨの番組を、例えば５秒程度の周期で順に表示することができる。
【０１１２】
図１１Ｅは、主映像表示領域１１と第１〜第４の副映像表示領域１２−１５とを表示する表示例を示す。図１１Ｅが示す表示例は、副映像表示領域が表示する副映像の番組（ＣＨ）が、主映像表示領域が表示する番組（ＣＨ）とは異なる番組（ＣＨ）を表示する場合であって、主映像表示領域に表示する番組を放送するＣＨを除いて受信可能なＣＨの数が副映像表示領域の数よりも少ない場合に、全ての副映像表示領域に、重複無く異なる番組（ＣＨ）を表示する要求に応えることが可能となる。
【０１１３】
図１１Ｆは、主映像表示領域１１と第１〜第５の副映像表示領域１２−１６とを表示する表示例を示す。図１１Ｆが示す表示例は、図１１Ｅが示す表示例と同様、副映像表示領域が表示する副映像の番組（ＣＨ）が、主映像表示領域が表示する番組（ＣＨ）とは異なる番組（ＣＨ）を表示する場合であって、主映像表示領域に表示する番組を放送するＣＨを除いて受信可能なＣＨの数が副映像表示領域の数よりも少ない場合に、全ての副映像表示領域に、重複無く異なる番組（ＣＨ）を表示する要求に好適である。
【０１１４】
図１２は、実施形態に係る電子機器（映像再生装置）の一例を示す概略図である。なお、以下の説明においては、図１Ａにおいて説明した要素または構成と同じか、類似した要素または構成については、同じ符号を付して詳細な説明を省略する場合がある。
【０１１５】
図１２が示す電子機器（映像再生装置）２０１は、第１受信・復調部１０１、第２受信・復号部１０２、第３受信・復調部１０３、ＨＤＭＩ信号入力部１０４、主制御ブロック１１１、副制御ブロック３２１、を少なくとも含む。主制御ブロック１１１は、ＧＵＩ処理部１１２、多重分離部（第１多重分離部）１１３、ＭＰＥＧハードウェア（ＨＷ）デコーダ（第１復号部）１１４、ＭＰＥＧソフトウェア（ＳＷ）デコーダ（第２復号部）１１５、グラフィックプロセッサ１１６、表示信号出力部１１７、主制御部（ＣＰＵ）１１８、ネットワークコントローラ１１９、を少なくとも含む。
【０１１６】
副制御ブロック３２１は、マルチストリーム多重分離部（第２多重分離部）１２２、ＴＳ解析部１２３、読み出し部３３１および書き込み部３３２、を少なくとも含む。読み出し部３３１および書き込み部３３２は、例えばＵＳＢ（Universal Serial Bus）を経由して接続する記憶部（ＨＤＤ（Hard Disk Drive））３３０と接続する。
【０１１７】
記憶部３３０は、書き込み部３３２による書き込み処理に従い、第１受信・復調部１０１、第２受信・復号部１０２、第３受信・復調部１０３からの番組、あるいはＨＤＭＩ信号入力部１０４からの映像（コンテンツ）を所定の方式で記憶し、読み出しが指示されたコンテンツ（映像）の再生要求があった場合、読み出し部３３１による読み出しを可能に、コンテンツ（映像）に対応するデータを保持する。
【０１１８】
ＴＳ解析部１２３は、記憶部３３０が保持する番組やコンテンツについても、副映像表示領域が表示するための特定の映像成分（Ｉ−フレーム画像）を特定し、そのフレームの情報をＭＰＥＧ（ＳＷ）デコーダ１１５に供給する。これにより、図９に示したようなタイムシフト録画機能により記憶した番組を再生（視聴）しようとする視聴者は、同一の時間帯に記憶した最大で６ＣＨ分の番組の内容を、副映像表示領域に表示できる。
【０１１９】
なお、ＴＳ解析部１２３は、例えば家庭内もしくはビル内あるいは事業所内のネットワーク（Local Area Network（ＬＡＮ））や、Digital Living Network Alliance（ＤＬＮＡ（登録商標））を通じて接続する他の電子機器（映像記憶装置）が記憶している番組やコンテンツについても、各副映像表示領域が表示するための特定の映像成分（Ｉ−フレーム画像）を復号し、ＭＰＥＧ（ＳＷ）デコーダ１１５に供給する。これにより、図９に示したようなタイムシフト録画機能が他の電子機器（映像記憶装置）により実現されている（映像記憶装置が映像再生装置１と独立して設けられている）場合であっても、実施形態の副映像表示（『受信ＣＨ一覧表示』モード）を実現できる。
【０１２０】
なお、図１２が示す電子機器においても、図１Ｂにより説明したと同様に、ＧＵＩ処理部１１２および第２復号部１１５は、ＣＰＵ１１８と独立に用意されてもよい。また、図１Ｃが示すように、ＧＵＩ処理部１１２、第２復号部１１５、グラフィックプロセッサ１１６、ネットワークコントローラ１１９、第２多重分離部１２２、ＴＳ解析部１２３を、主制御ブロック１１１に一体的に組み込んだ場合においても、第２復号部１１５においてＩ−フレーム画像のみを復号することで、ＣＰＵ１１８の負荷を増大することなく、複数の副映像を表示できる。
【０１２１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１２２】
１、２０１…映像再生装置（電子機器）、１０１、１０２、１０３…受信・復号部、１０４…ＨＤＭＩ信号入力部、１０５…ディスプレイ（表示装置）、１１１…主制御ブロック、１１２…ＧＵＩ処理部、１１３…多重分離部（第１多重分離部）、１１４…ＭＰＥＧハードウェア（ＨＷ）デコーダ（第１復号部）、１１５…ＭＰＥＧソフトウェア（ＳＷ）デコーダ（第２復号部）、１１６…グラフィックプロセッサ、１１７…表示信号出力部、１１８…ＣＰＵ（主制御部）、１２０、１２１、３２１…副制御ブロック、１２２…マルチストリーム多重分離部（第２多重分離部）、１２３…ＴＳ解析部（パケット内データ解析部）。
【図１Ａ】
2020078073.tif 000003
【図１Ｂ】
2020078073.tif 000004
【図１Ｃ】
2020078073.tif 000005
【図２】
2020078073.tif 000006
【図３Ａ】
2020078073.tif 000007
【図３Ｂ】
2020078073.tif 000008
【図４】
2020078073.tif 000009
【図５】
2020078073.tif 000010
【図６】
2020078073.tif 000011
【図７】
2020078073.tif 000012
【図８】
2020078073.tif 000013
【図９】
2020078073.tif 000014
【図１０Ａ】
2020078073.tif 000015
【図１０Ｂ】
2020078073.tif 000016
【図１１Ａ】
2020078073.tif 000017
【図１１Ｂ】
2020078073.tif 000018
【図１１Ｃ】
2020078073.tif 000019
【図１１Ｄ】
2020078073.tif 000020
【図１１Ｅ】
2020078073.tif 000021
【図１１Ｆ】
2020078073.tif 000022
【図１２】
2020078073.tif 000023